(57)【特許請求の範囲】
【請求項１】
自然エネルギを利用して発電する発電装置と、
建物に設けられて、前記発電装置の発電電力及び系統電力の少なくとも一方の電力を蓄電する蓄電池と、
自動車に搭載されて、外部から供給された電力または自動車で発電された電力を蓄電する車両用蓄電池と、
前記発電電力、前記蓄電池の蓄電電力、前記車両用蓄電池の蓄電電力、及び系統電力のぞれぞれの電力を予め定めた優先順位に従って予め定めた供給先へ供給する供給手段と、
前記供給手段によって供給される各電力の供給先及び供給量を検出する供給検出手段と、
前記蓄電池及び前記車両用蓄電池の蓄電量を検出する蓄電量検出手段と、
建物の電力使用量又は建物の各部屋毎の電力使用量を検出する電力使用量検出手段と、
予め定めた表示単位の中から使用する表示単位を選択するための選択手段と、
電力の単位と他の単位の予め定めた対応関係に基づいて、前記供給検出手段、前記蓄電量検出手段、及び前記電力使用量検出手段の各検出結果の単位を前記選択手段によって選択された単位に変換し、変換した単位で前記各検出結果を電力の流れと共に表示する表示手段と、
を備えたエネルギマネジメントシステム。
【請求項２】
自動車の走行予定距離を入力するための入力手段と、前記発電装置の発電量、前記蓄電池の蓄電量、及び建物の電力使用量をそれぞれ予測する予測手段と、を更に備え、
前記表示手段が、前記対応関係に基づいて、前記入力手段によって入力された前記走行予定距離及び前記予測手段の予測結果のそれぞれの単位を前記選択手段によって選択された単位に変換し、変換した単位で前記走行予定距離及び前記予測結果を更に表示する請求項１に記載のエネルギマネジメントシステム。
【請求項３】
前記選択手段は、単位を切り換える指示を行うための表示切換ボタンからなり、前記表示手段が、電力の単位を優先して表示し、前記表示切換ボタンが操作された場合に、表示切換ボタンによって指示された単位に変換して表示する請求項１又は請求項２に記載のエネルギマネジメントシステム。
【請求項４】
建物の各部屋の在室を検出する在室検出手段を更に備え、前記表示手段が、前記在室検出手段及び前記電力使用量検出手段の検出結果に基づいて、不在の部屋の無駄なエネルギ消費があることを更に表示する請求項１〜３の何れか１項に記載のエネルギマネジメントシステム。
【請求項５】
前記電力使用量検出手段によって検出された前記電力使用量が所定値を超え、空調装置が作動している場合に、エネルギ消費量を抑制するように空調装置を制御する制御手段を更に備えた請求項１〜４の何れか１項に記載のエネルギマネジメントシステム。
【発明の詳細な説明】
【技術分野】
【０００１】
本発明は、エネルギマネジメントシステムにかかり、特に、発電装置や蓄電池を備えて、建物への電力供給を制御するエネルギマネジメントシステムに関する。
【背景技術】
【０００２】
従来より、災害時などの電力確保のために、系統電力とは別に蓄電池などを設けて停電時などに住宅で使用する技術が提案されている。
【０００３】
例えば、特許文献１に記載の技術では、商用電力系統とそれとは別の電源装置（ハイブリッド自動車）との何れかを用いて各電気負荷に給電可能とし、電力線毎に遮断装置と電力監視装置とを設ける。そして、電力監視装置がハイブリッド自動車からの給電時に、電力監視装置毎に電気負荷による電力使用状況を監視して、コントローラが、電力監視装置により監視した電力使用状況に応じて、遮断装置を制御することにより各電気負荷への給電を電力線毎に制御することが提案されている。
【先行技術文献】
【特許文献】
【０００４】
【特許文献１】特開２００７−２８２４５６号公報
【発明の概要】
【発明が解決しようとする課題】
【０００５】
しかしながら、特許文献１に記載の技術では、系統電力以外にハイブリッド自動車などの電力を利用して、継続的な電力供給を行うことができるが、使用可能なエネルギを把握するための表示を行うことに関しては記載されていないので、改善の余地がある。
【０００６】
また、系統電力や自動車に搭載された蓄電池に蓄電された電力以外にも、太陽光発電装置等の各種発電装置によって発電された電力の使用なども想定され、住宅で使用可能なエネルギについては多種多様化しており、種々の表示に関する技術が望まれる。
【０００７】
本発明は、上記事実を考慮して成されたもので、建物や自動車で使用される電力の状況を様々な視点で確認可能とすることを目的とする。
【課題を解決するための手段】
【０００８】
上記目的を達成するために請求項１に記載の発明は、自然エネルギを利用して発電する発電装置と、建物に設けられて、前記発電装置の発電電力及び系統電力の少なくとも一方の電力を蓄電する蓄電池と、自動車に搭載されて、外部から供給された電力または自動車で発電された電力を蓄電する車両用蓄電池と、前記発電電力、前記蓄電池の蓄電電力、前記車両用蓄電池の蓄電電力、及び系統電力のぞれぞれの電力を予め定めた優先順位に従って予め定めた供給先へ供給する供給手段と、前記供給手段によって供給される各電力の供給先及び供給量を検出する供給検出手段と、前記蓄電池及び前記車両用蓄電池の蓄電量を検出する蓄電量検出手段と、建物の電力使用量又は建物の各部屋毎の電力使用量を検出する電力使用量検出手段と、予め定めた表示単位の中から使用する表示単位を選択するための選択手段と、電力の単位と他の単位の予め定めた対応関係に基づいて、前記供給検出手段、前記蓄電量検出手段、及び前記電力使用量検出手段の各検出結果の単位を前記選択手段によって選択された単位に変換し、変換した単位で前記各検出結果を電力の流れと共に表示する表示手段と、を備えている。
【０００９】
請求項１に記載の発明によれば、発電装置では、例えば、太陽光や、風力、水力等の自然エネルギを利用して発電される。
【００１０】
蓄電池は、建物に設けられて、発電装置の発電電力及び系統電力の少なくとも一方の電力が蓄電され、車両用蓄電池は、自動車に搭載されて、外部から供給された電力または自動車で発電された電力が蓄電される。
【００１１】
また、供給手段では、発電装置の発電電力、蓄電池の蓄電電力、車両用蓄電池の蓄電電力、及び系統電力のそれぞれの電力が予め定めた優先順位に従って予め定めた供給先へ供給される。例えば、発電装置によって発電された電力を建物や供給したり、蓄電池へ供給して充電したり、蓄電池に蓄電された電力を建物へ供給したり等の電力の供給を制御する。
【００１２】
また、供給検出手段では、供給手段によって供給される各電力の供給先及び供給量が検出され、蓄電量検出手段では、蓄電池及び車両用蓄電池の蓄電量が検出され、電力使用量検出手段では、建物の電力使用量又は建物の各部屋毎の電力使用量が検出される。
【００１３】
そして、選択手段によって、予め定めた単位の中から表示する単位を選択することができ、表示手段では、電力の単位と他の単位の予め定めた対応関係に基づいて、供給検出手段、蓄電量検出手段、及び電力使用量検出手段の各検出結果の単位が、選択手段によって選択された単位に変換されて、変換された単位で各検出結果が電力の流れと共に表示される。これによって、建物内のエネルギの状況を表示手段の表示によって確認することができる。また、エネルギの状況を電力の単位だけではなく、他の予め定めた単位（例えば、走行距離や、電気代、ＣＯ２排出量等の単位）で確認することができる。従って、建物や自動車で使用される電力の状況を様々な視点で確認することができる。
【００１４】
なお、請求項２に記載の発明のように、自動車の走行予定距離を入力するための入力手段と、発電装置の発電量、蓄電池の蓄電量、及び建物の電力使用量をそれぞれ予測する予測手段と、を更に備えて、表示手段が、対応関係に基づいて、入力手段によって入力された走行予定距離及び予測手段の予測結果のそれぞれの単位を選択手段によって選択された単位に変換し、変換した単位で走行予定距離及び予測結果を更に表示するようにしてもよい。これによって、次の日等の走行距離に対する、発電量や、蓄電量、電力使用量等を距離換算で確認することが可能となる。
【００１５】
また、請求項３に記載の発明のように、選択手段が、単位を切り換える指示を行うための表示切換ボタンからなり、表示手段が、電力の単位を優先して表示し、表示切換ボタンが操作された場合に、表示切換ボタンによって指示された単位に変換して表示するようにしてもよい。すなわち、デフォルトの表示として電力の単位で表示を行って、表示切換ボタンの操作によって他の単位への表示への切り換えが可能となる。
【００１６】
また、請求項４に記載の発明のように、建物の各部屋の在室を検出する在室検出手段を更に備えて、表示手段が、在室検出手段及び電力使用量検出手段の検出結果に基づいて、不在の部屋の無駄なエネルギ消費があることを更に表示するようにしてもよい。これによって、不在の部屋で無駄な電力消費があることをアドバイスすることができる。
【００１７】
また、請求項５に記載の発明のように、電力使用量検出手段によって検出された電力使用量が所定値を超え、空調装置が作動している場合に、エネルギ消費量を抑制するように空調装置を制御する制御手段を更に備えるようにしてもよい。これによって、空調装置を使用している時に、電力消費が多くなった場合には、自動で空調装置を制御してエネルギ消費を抑制するので、省エネルギ効果を得ることができる。
【発明の効果】
【００１８】
以上説明したように本発明によれば、建物や自動車で使用される電力の状況を様々な視点で確認することができる、という効果がある。
【図面の簡単な説明】
【００１９】
【図１】本発明の実施の形態に係わるエネルギマネジメントシステムの概略構成を示すブロック図である。
【図２】本発明の実施の形態に係わるエネルギマネジメントシステムに含まれるＨＥＭＳの概略構成を示すブロック図である。
【図３】単位を変換するための変換テーブルの一例を示す図である。
【図４】本発明の実施の形態に係わるエネルギマネジメントシステムのＨＥＭＳの表示部に表示される初期画面の一例を示す図である。
【図５】単位を「円」に変換した場合の表示画面の一例を示す図である。
【図６】各部屋毎のエネルギを示すと共に、部屋Ｂが無人で消費電力が多いことを示すアドバイスを表示した一例を示す図である。
【図７】本発明の実施の形態に係わるエネルギマネジメントシステムのＨＥＭＳで行われる処理の流れの一例を示すフローチャートである。
【図８】変換テーブルに基づいて、予測した各エネルギ量を距離換算して表示した例を示す図である。
【発明を実施するための形態】
【００２０】
以下、図面を参照して本発明の実施の形態の一例を詳細に説明する。図１は、本発明の実施の形態に係わるエネルギマネジメントシステムの概略構成を示すブロック図である。なお、図１中の実線は電力線を示し、点線は情報線を示すものとする。
【００２１】
本発明の実施の形態に係わるエネルギマネジメントシステム１０は、太陽光発電装置１２を備えて、太陽光によって発電された電力を住宅で使用可能とされている。なお、本実施の形態では、太陽光発電装置１２を備える例を説明するが、これに限るものではなく、例えば、風力、水力、火力等の各種自然エネルギを利用した発電装置を備えるようにしてもよいし、燃料電池等の発電装置を備えるようにしてもよい。
【００２２】
太陽光発電装置１２は、パワーコントロールシステム（図示省略）を含んで構成されており、太陽光発電装置１２によって発電された直流電力がパワーコントロールシステムによって交流電力に変換されて分電盤１４に供給されることにより、住宅に電力が供給される。
【００２３】
また、分電盤１４には、電力会社から供給される系統電力１８、及び太陽光発電装置１２の発電電力の少なくとも一方の電力を蓄電する蓄電池２４が接続されており、太陽光発電装置１２によって発電された電力の他に、系統電力１８や蓄電池２４に蓄電された電力を住宅に供給することが可能とされていると共に、太陽光発電装置１２や系統電力１８によって蓄電池２４を充電することが可能とされている。なお、蓄電池２４は、リチウムイオン電池、鉛電池、ナトリウム電池等の各種蓄電池を適用することができる。
【００２４】
また、分電盤１４には、ハイブリッド自動車や電気自動車等に搭載された車両用蓄電池２８を充電するための充電スタンド２６が接続されており、分電盤１４から充電スタンド２６に電力を供給して車両用蓄電池２８を充電することが可能とされている。また、本実施の形態では、充電スタンド２６は、非常時などの場合には、車両用蓄電池２８から交流に電力を変換して分電盤１４に電力を供給可能とされている。
【００２５】
また、分電盤１４には、住宅に設けられた家電機器２０や住設機器２２等が接続されている。すなわち、太陽光発電装置１２による発電電力や、系統電力１８、蓄電池２４に蓄電された電力などの電力が分電盤１４を介して家電機器２０や住設機器２２に供給される。
【００２６】
さらに、分電盤１４には、住宅内のエネルギの管理や制御を行うＨＥＭＳ（Home Energy Management System）３０が接続されている。ＨＥＭＳ３０は、分電盤１４を制御することにより、太陽光発電装置１２の発電電力、蓄電池２４の電力、及び系統電力１８の何れかを住宅へ供給するために電力の切換制御等を行う。
【００２７】
図２は、本発明の実施の形態に係わるエネルギマネジメントシステム１０に含まれるＨＥＭＳ３０の概略構成を示すブロック図である。
【００２８】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００２９】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用するようにしてもよいし、タッチパネルの他に操作ボタンを備えるようにしてもよい。
【００３０】
メモリ５０には、住宅内の電力供給に関する各種制御や表示部４６に表示するための表示制御等を行うためのプログラムや、家電機器２０や住設機器２２の制御を行うためのプログラム、これらのプログラムを実行するための各種情報等が記憶されており、メモリ５０に記憶されたプログラムをＲＡＭ４０等に展開してＣＰＵ３６が実行することにより、住宅内の電力供給に関する各種制御や表示制御等の制御を行うようになっている。
【００３１】
さらに、入出力ポート４２には、蓄電池２４の残量を検出するための蓄電池残量センサ５４、分電盤１４、及び住宅内の各部屋の在室有無を検出するための人感センサ１６が接続されている。なお、入出力ポート４２には、インターネット等のネットワークを接続可能として、外部の機器（例えば、予め定めた情報センター等）と情報の授受を可能としてもよい。
【００３２】
本実施の形態では、蓄電池残量センサ５４によって検出された蓄電池２４の残量をＨＥＭＳ３０が取得することにより、表示部４６に蓄電池２４の蓄電量を表示することができる。
【００３３】
また、分電盤１４は、系統電力１８からの電力供給量や、太陽光発電装置１２からの発電量、各部屋の電力使用量等を検出する機能を備えており、ＨＥＭＳ３０は、分電盤１４から系統電力１８の供給量、太陽光発電装置１２の発電量、電力使用量等を取得して、各電力を表示部４６に表示することができるようになっている。このとき、本実施の形態では、各電力の単位を変更して表示することが可能とされている。例えば、電力の単位と他の単位の予め定めた対応関係として、図３に示す単位を変換するための変換テーブルを予め記憶し、操作部４８の操作によって指定された単位での表示が可能とされている。なお、変換テーブルは、予め定めた単位量の電力量と電力量から換算できる他の物理量との対応関係を予め定めることにより設定することができる。また、図３の変換テーブルでは、電気量、電気代、走行距離、及びＣＯ２排出量、及び温度に単位を変更可能とした場合の変換テーブルを示す。また、図３の変換テーブルは、ある電力会社の料金、ある車種の燃費を考慮して作成したものであり、数値はこれに限定されるものではなく、電力会社や車種によって適宜設定すればよい。また、変換テーブルは、ネットワークを介して電気料金や燃費等の情報をＨＥＭＳ３０が外部から取得して変更するようにしてもよい。
【００３４】
ここで、本発明の実施の形態に係わるエネルギマネジメントシステム１０のＨＥＭＳ３０で行われる表示部４６の表示制御の概略について説明する。図４は、表示部４６の初期画面の表示例を示す図である。
【００３５】
ＨＥＭＳ３０の表示部４６には、例えば、図４に示すような初期画面が表示される。図４の初期画面では、太陽光発電装置１２の発電電力（図４中の発電装置）、蓄電池２４の蓄電量、車両用蓄電池２８の蓄電量、及び使用電力量が表示される。具体的には、ＨＥＭＳ３０は、分電盤１４から各電力量（発電量、蓄電池２４の蓄電量、及び使用電力量）の検出結果を取得すると共に、蓄電池残量センサ５４の検出結果を取得することによってそれぞれの電力量を表示する。初期状態では、一般的な表示と同様に、電力の単位でそれぞれの電力量を表示する。
【００３６】
このとき、図４に示す「全体／部屋」への操作が行われた場合には、住宅全体として電力を表示するか、部屋毎に電力を表示するかを選択することができる。
【００３７】
また、本実施の形態では、住宅内のエネルギ（発電量、蓄電池２４の蓄電量、車両用蓄電池２８に蓄電量、使用電力量）を他の単位で表示することが可能とされており、図４中の「単位：円」への操作を行うことにより、表示する単位を選択することができる。例えば、単位切換ボタンとしての図４示す「単位：Ｋｗ／ｈ」の部分をタッチ操作することにより、表示する単位を順次切り替える。図５は、単位を「円」に変換した場合の図を示す。単位の変換は、所定の変換テーブル等を用いて表示された電力量を料金等の他の単位に変換して表示する。このように単位を変えることによっていろいろな視点でエネルギを捉えることが可能となる。
【００３８】
また、図４に示す「優先」への操作が行われることによって、電力供給の優先順位を設定することが可能とされている。図４では、デフォルトで（１）〜（８）の順に優先順位が設定されている例を示すが、「優先」をタッチ操作して所定の操作を行うことによって当該デフォルトの優先順位を変更することができる。
【００３９】
また、図４に示す「アドバイス」への操作が行われることによって、住宅内のエネルギに関するアドバイスを表示する。例えば、人感センサ１６の検出結果をＨＥＭＳ３０が取得すると共に、各部屋への電力の供給状況（家電機器２０や住設機器２２の作動状況等）を検出することによって、無人の部屋の電力消費等を検出して、電力の無駄等をアドバイスする。より具体的には、図６に示すように、部屋Ｂが無人で消費電力が多いことを示すアドバイスを表示する。この例の場合には、部屋毎の電力が表示され、各部屋における人感センサ１６の検出結果から部屋Ｂが無人で「１Ｋｗ」の電力消費があることを表示した例を示す。或いは、「エネルギ消費量が、３Ｋｗｈを超えました。冷暖房温度を調整してください。」、「不在の部屋でエネルギ消費があります。確認してください。」等のようなメッセージを表示するようにしてもよい。
【００４０】
さらに、図４に示す「警告」は、例えば、蓄電池２４の残量が所定量（例えば、１０％）以下になったときに点滅し、「放電を中止します。」等の表示を行ったり、電気自動車等の車両用蓄電池２８が接続されていない場合に点滅して、「充電する場合にはケーブルを接続してください。」等のメッセージを表示するようにしてもよい。
【００４１】
続いて、上述のように構成された本発明の実施の形態に係わるエネルギマネジメントシステム１０のＨＥＭＳ３０で行われる表示処理の具体的な流れについて説明する。図７は、本発明の実施の形態に係わるエネルギマネジメントシステム１０のＨＥＭＳ３０で行われる処理の流れの一例を示すフローチャートである。
【００４２】
ステップ１００では、太陽光発電装置１２の発電量、及び蓄電池２４の蓄電量が検出されてステップ１０２へ移行する。すなわち、太陽光発電装置１２から分電盤１４に入力される発電量の測定結果をＨＥＭＳ３０が分電盤１４から取得すると共に、蓄電池残量センサ５４の検出結果をＨＥＭＳ３０が取得する。なお、車両用蓄電池２８が充電スタンド２６に接続されている場合には、充電スタンド２６によって車両用蓄電池２８の残量を検出し、検出結果をＨＥＭＳ３０が取得するようにしてもよい。
【００４３】
ステップ１０２では、使用電力量が検出されてステップ１０４へ移行する。すなわち、家電機器２０や住設機器２２へ供給される電力量の測定結果を分電盤１４からＨＥＭＳ３０が取得する。
【００４４】
ステップ１０４では、初期画面が表示部４６に表示されてステップ１０６へ移行する。本実施の形態では、ステップ１００〜１０２で取得した、太陽光発電装置１２の発電量、蓄電池２４の蓄電量（車両用蓄電池２８が接続されている場合には車両用蓄電池２８の蓄電量と、蓄電池２４の蓄電量）、及び使用電力量を元に、図４に示すように、それぞれの電力量を表示部４６に表示する。これによって、住宅内の電力エネルギの状態を視覚的に報知することができる。このとき、本実施の形態では、デフォルトで電力の単位で表示されるが、他の単位としてもよい。
【００４５】
ステップ１０６では、「全体／部屋」ボタンが操作されたか否かがＨＥＭＳ３０によって判定される。該判定は、電力の表示を住宅全体で表示するか部屋毎に表示するかを選択するために図４の「全体／部屋」の部分がタッチ操作されたか否かを判定し、該判定が肯定された場合にはステップ１０８へ移行し、否定された場合にはステップ１１４へ移行する。
【００４６】
ステップ１０８では、「全体」表示中か否か判定される。該判定は、エネルギの供給状態を表示する際の表示方法として全体を表示するか、各部屋毎に表示するかを選択するために図４中の「全体／部屋」の部分がタッチ操作されて「全体」が選択されたか否かを判定し、該判定が否定された場合にはステップ１１０へ移行し、肯定された場合にはステップ１１２へ移行する。
【００４７】
ステップ１１０では、全体表示に切り換えられてステップ１１４へ移行する。例えば、図４に示す全体の表示例のような画面が表示される。
【００４８】
ステップ１１２では、各部屋毎の表示に切り換えられてステップ１１４へ移行する。例えば、図６に示すような各部屋毎の画面が表示される。
【００４９】
ステップ１１４では、「単位」ボタンが操作されたか否かがＨＥＭＳ３０によって判定される。該判定は、エネルギの供給状態の表示における単位を変更するために、図４中の「単位」の部分がタッチ操作されて単位の選択が行われたか否かを判定し、該判定が肯定された場合にはステップ１１６へ移行し、否定された場合にはステップ１２０へ移行する。
【００５０】
ステップ１１６では、単位を変換するための変換テーブルに基づいて選択された単位の値が算出されてステップ１１８へ移行する。
【００５１】
ステップ１１８では、ステップ１１６の算出結果が表示部４６に表示されてステップ１２０へ移行する。これによって、エネルギの状態を種々の単位で表示することができる。例えば、図４は、電力量の単位で表示した例を示し、図５は、電気代の単位で表示した例を示す。なお、デフォルトでは、上述したように、電力の単位を優先して表示し、「単位」ボタンが操作されることによって、単位を切り換える。
【００５２】
ステップ１２０では、「優先」ボタンが操作されたか否かがＨＥＭＳ３０によって判定される。該判定は、電力供給の優先順位を変更するために図４中の「優先」の部分がタッチ操作されたか否かを判定し、該判定が肯定された場合にはステップ１２２へ移行し、否定された場合にはステップ１２４ｈへ移行する。
【００５３】
ステップ１２２では、電力供給の優先順位が操作に対応する優先順に変更されてステップ１２４へ移行する。例えば、図示は省略するが、「優先」の部分がタッチ操作された場合に、優先順位を変更するための予め定めた変更画面を表示して、表示された変更画面に従って優先順を変更することができる。なお、本実施の形態では、デフォルトの状態で、図４に示す（１）〜（８）の順に優先順位が設定されているものとし、この優先順位を変更する際に、当該処理が行われる。
【００５４】
ステップ１２４では、「アドバイス」ボタンが操作されたか否かがＨＥＭＳ３０によって判定される。該判定は、省エネルギ等に関するアドバイスを表示するために、図４中の「アドバイス」の部分がタッチ操作されたか否かを判定し、該判定が肯定された場合にはステップ１２６へ移行し、否定された場合にはステップ１２８へ移行する。
【００５５】
ステップ１２６では、アドバイス表示処理が行われてステップ１２８へ移行する。アドバイス表示処理は、例えば、現在の電力使用量を分電盤１４からＨＥＭＳ３０が取得して、所定値以上の使用量の場合に、「エネルギ消費が、３ｋＷを超えました。冷暖房を調節してください。」などのメッセージを表示部４６に表示したり、人感センサ１６の検出結果を更に取得して、図６に示すように、「部屋Ｂが未使用です。確認してください。」等のメッセージを表示部４６に表示する。これによって、住人が表示部４６の表示を確認して冷暖房の温度設定を変更したり、無駄な照明を消すなどしてエネルギ消費を低減することができる。すなわち、アドバイスによって省エネルギを促すことができる。なお、このとき、エネルギ消費量が所定量を超え、かつ冷暖房を使用しているときには、ＨＥＭＳ３０が家電機器（空調装置）２０を制御してエネルギ消費を抑制するようにしてもよい。
【００５６】
ステップ１２８では、警告があるか否かがＨＥＭＳ３０によって判定され、該判定が肯定された場合にはステップ１３０へ移行して警告が表示部４６に表示された後にステップ１３２へ移行し、ステップ１２８の判定が否定された場合にはそのままステップ１３２へ移行する。例えば、ステップ１２８〜１３０では、蓄電池残量センサ５４の検出結果を取得して、取得した検出結果から蓄電池２４の残量が１０％以下の場合を警告するものとして、その旨を表示部４６に表示すると共に、画面を点滅したり、「警告」の部分を点滅させるたりする。或いは、充電スタンド２６とＨＥＭＳ３０間で通信を行い、車両用蓄電池２８が接続されていない場合に警告するものと判断して、「車両用蓄電池２８のケーブルが接続されていません。給電の場合には接続してください。」等のメッセージを表示部４６に表示するようにしてもよいし、システムの異常等を検出して警告を行うようにしてもよい。
【００５７】
ステップ１３２では、システムのオフが指示されたか否かがＨＥＭＳ３０によって判定される。該判定は、例えば、操作部４８が操作されて電源オフ等の指示がなされた否かを判定し、判定が否定された場合にはステップ１００に戻って上述の処理が繰り返され、判定が肯定された場合には一連の処理を終了する。
【００５８】
また、本発明の実施の形態に係わるエネルギマネジメントシステム１０のＨＥＭＳ３０では、次の日の太陽光発電装置１２の発電量や、蓄電池２４の蓄電量、使用電力量等を予測して、距離に換算してそれぞれのエネルギ量を表示部４６に表示等の表示処理も行われる。
【００５９】
例えば、次の日の天気予報などの情報をＨＥＭＳ３０に入力して、天気予報に基づいて太陽光発電装置１２の発電量や、蓄電池２４の蓄電量、使用電力量等を予測したり、日々の発電量、蓄電池量、使用電力量等を記憶して、平均値を求める等により、発電量や、蓄電量、使用量等をそれぞれ予測したりすることができる。
【００６０】
そして、図８に示した変換テーブルに基づいて、予測した各エネルギ量を距離換算して表示部４６に表示することにより、いろいろな視点で住宅内のエネルギを確認することができる。
【００６１】
また、例えば、次の日の自動車の走行距離を操作部４８等を操作して入力可能とし、入力した走行距離を差し引いた発電量や、蓄電量、使用電力量等を距離換算で確認することもができる。例えば、図８の例では、走行予定距離として「１００ｋｍ」を操作部４８を介して入力した場合、予測発電量のうち２００ｋｍに相当する発電電力を蓄電池２４に供給し、残りの２００ｋｍに相当する発電電力を使用し、蓄電池２４に蓄電された１００ｋｍに相当する電力を車両用蓄電池２８に充電する表示例を示す。
【００６２】
なお、上記の実施の形態及び変形例において、予め定めた情報センター３２が、公的機関から災害情報を受信して災害の地域に対応するＨＥＭＳ３０へ災害情報を送信するようにしたが、公的機関自体を情報センター３２として、公的機関（情報センター３２）がインターネット等を介して災害情報をＨＥＭＳ３０に直接送信するようにしてもよい。この場合には、ＨＥＭＳ３０側で災害に対応する地域であるか否か等の判断を行うことにより、上記の実施の形態や変形例と同様に制御することができる。
【００６３】
また、上記の実施の形態では、表示する単位を切り換えて表示する例を説明したが、これに限るものではなく、例えば、単位を切り換えるのではなく、他の単位を追加して複数の単位で表示するようにしてもよい。
【符号の説明】
【００６４】
１０    エネルギマネジメントシステム
１２    太陽光発電装置
１４    分電盤
１６    人感センサ
１８    系統電力
２４    蓄電池
２８    車両用蓄電池
３０    ＨＥＭＳ
５４    蓄電池残量センサ
【図１】
0005551098.tif 000002
【図２】
0005551098.tif 000003
【図３】
0005551098.tif 000004
【図４】
0005551098.tif 000005
【図５】
0005551098.tif 000006
【図６】
0005551098.tif 000007
【図７】
0005551098.tif 000008
【図８】
0005551098.tif 000009